【手続補正書】
【提出日】平成21年2月13日(2009.2.13)
【手続補正１】
【補正対象書類名】特許請求の範囲
【補正対象項目名】全文
【補正方法】変更
【補正の内容】
【特許請求の範囲】
【請求項１】
物体側より像側へ順に、正の屈折力の第１レンズ群、負の屈折力の第２レンズ群、正の屈折力の第３レンズ群、正の屈折力の第４レンズ群より構成され、該第１レンズ群は、広角端に比べ望遠端において物体側に位置し、広角端に比べ望遠端で、該第１レンズ群と第２レンズ群の間隔が大きく、該第２レンズ群と第３レンズ群の間隔が小さく、該第３レンズ群と第４レンズ群の間隔が大きくなるように各レンズ群が移動するズームレンズにおいて、該第１レンズ群は、正レンズを含む２枚以下のレンズより成り、該第２レンズ群は、物体側から像側へ順に、負レンズ、符号の異なる屈折力の２つの光学部材より成る複合レンズ、正レンズを有することを特徴とするズームレンズ。
【請求項２】
前記第１レンズ群は、正レンズと負レンズより成り、前記第２レンズ群は、物体側から像側へ順に、負レンズ、符号の異なる屈折力の２枚のレンズより成る接合レンズ、正レンズから成ることを特徴とする請求項１のズームレンズ。
【請求項３】
前記複合レンズは、負レンズのレンズ面に正の屈折力の樹脂層が形成されてなることを特徴とする請求項１のズームレンズ。
【請求項４】
前記複合レンズの、物体側と像側の面の曲率半径を各々Ｒ４１、Ｒ５２とするとき、
０．１＜（Ｒ４１＋Ｒ５２）／（Ｒ４１−Ｒ５２）＜１．７
なる条件を満足することを特徴とする請求項１から３のいずれか１項のズームレンズ。
【請求項５】
前記第２レンズ群の負レンズを構成する材料の平均屈折率をＮ２ｎ、該第２レンズ群の正レンズまたは正の屈折力の樹脂層を構成する材料の平均屈折率をＮ２ｐとするとき、
１．７５＜Ｎ２ｎ＜２．０
１．６５＜Ｎ２ｐ＜２．０
なる条件を満足することを特徴とする請求項１から４のいずれか１項のズームレンズ。
【請求項６】
前記第２レンズ群の像側には、開口絞りが配置されており、広角端において、該第２レンズ群の後端から該開口絞りまでの光軸上の距離をｄ２、前記複合レンズの負レンズを構成する材料のアッベ数をν２ｓｎ、前記複合レンズの正レンズまたは正の屈折力の樹脂層を構成する材料のアッベ数をν２ｓｐ、広角端と望遠端における全系の焦点距離を各々ｆｗ、ｆｔとするとき、
【数１】
2007271711.tif 000001
なる条件を満足することを特徴とする請求項１から５のいずれか１項のズームレンズ。
【請求項７】
前記第３レンズ群は、物体側から像側へ順に、両凸形状の正レンズ、物体側が凸面の正レンズと像側が凹面の負レンズを接合した接合レンズ、正レンズより成ることを特徴とする請求項１から６のいずれか１項のズームレンズ。
【請求項８】
前記第４レンズ群は、単一の正レンズより成ることを特徴とする請求項１から７のいずれか１項のズームレンズ。
【請求項９】
固体撮像素子に像を形成することを特徴とする請求項１から８のいずれか１項に記載のズームレンズ。
【請求項１０】
請求項１から９のいずれか１項に記載のズームレンズと、該ズームレンズによって形成された像を受光する固体撮像素子とを有することを特徴とする撮像装置。
【手続補正２】
【補正対象書類名】明細書
【補正対象項目名】０００６
【補正方法】変更
【補正の内容】
【０００６】
又第２レンズ群を５つのレンズで構成した４群ズームレンズが知られている（特許文献５、６）。
【特許文献１】特開平 ３−２９６７０６号公報
【特許文献２】特開２００３−３１５６７６号公報
【特許文献３】特開２００４−９４２３３号公報
【特許文献４】特開平０９−００５６２９号公報
【特許文献５】特開２００１−３５００９２号公報
【特許文献６】特開２０００−３６８３３８号公報
【手続補正３】
【補正対象書類名】明細書
【補正対象項目名】００１４
【補正方法】変更
【補正の内容】
【００１４】
本発明のズームレンズは、物体側より像側へ順に、正の屈折力の第１レンズ群、負の屈折力の第２レンズ群、正の屈折力の第３レンズ群、正の屈折力の第４レンズ群より構成され、該第１レンズ群は、広角端に比べ望遠端において物体側に位置し、広角端に比べ望遠端で、該第１レンズ群と第２レンズ群の間隔が大きく、該第２レンズ群と第３レンズ群の間隔が小さく、該第３レンズ群と第４レンズ群の間隔が大きくなるように各レンズ群が移動するズームレンズにおいて、該第１レンズ群は、正レンズを含む２枚以下のレンズより成り、該第２レンズ群は、物体側から像側へ順に、負レンズ、符号の異なる屈折力の２つの光学部材より成る複合レンズ、正レンズを有することを特徴としている。
【手続補正４】
【補正対象書類名】明細書
【補正対象項目名】００５２
【補正方法】変更
【補正の内容】
【００５２】
第２レンズ群Ｌ２は、物体側から像側へ順に、負レンズ、符号の異なる屈折力の２枚のレンズまたはレンズと樹脂層より成る複合レンズ、正レンズを有している。
【手続補正５】
【補正対象書類名】明細書
【補正対象項目名】００５３
【補正方法】変更
【補正の内容】
【００５３】
各実施例において、第２レンズ群Ｌ２は、物体側から像側へ順に、負レンズ、符号の異なる屈折力の２枚のレンズまたはレンズと樹脂層より成る複合レンズ、正レンズから成っているが、４枚以上のレンズより構成しても良い。
【手続補正６】
【補正対象書類名】明細書
【補正対象項目名】００５５
【補正方法】変更
【補正の内容】
【００５５】
第２レンズ群Ｌ２中の複合レンズは、いずれもガラス材より成る負レンズと正レンズより構成する他、負レンズのレンズ面に正の屈折力の樹脂層が形成されてなる光学素子であっても良い。
【手続補正７】
【補正対象書類名】明細書
【補正対象項目名】００６０
【補正方法】変更
【補正の内容】
【００６０】
第２レンズ群Ｌ２中の複合レンズの物体側と像側の面の曲率半径を各々Ｒ４１、Ｒ５２とする。
【手続補正８】
【補正対象書類名】明細書
【補正対象項目名】００６１
【補正方法】変更
【補正の内容】
【００６１】
第２レンズ群Ｌ２中の負レンズを構成する材料の平均屈折率をＮ２ｎ、第２レンズ群Ｌ２中の正レンズまたは正の屈折力の樹脂層を構成する材料の平均屈折率をＮ２ｐとする。広角端において、第２レンズ群Ｌ２の後端（最終レンズ面）から開口絞りＳＰまでの光軸上の距離をｄ２とする。
【手続補正９】
【補正対象書類名】明細書
【補正対象項目名】００７１
【補正方法】変更
【補正の内容】
【００７１】
条件式（３）は、第２レンズ群Ｌ２中の正レンズまたは正の屈折力の樹脂層を構成する材料の平均屈折率に関するものである。条件式（３）の上限値を超えて屈折率が高くなりすぎると、使える材料が制限されてきて製造が難しくなるので良くない。
【手続補正１０】
【補正対象書類名】明細書
【補正対象項目名】００７６
【補正方法】変更
【補正の内容】
【００７６】
条件式（５）は、第２レンズ群Ｌ２中の複合レンズ中に含まれる負レンズを構成する材料のアッベ数と、正レンズまたは正の屈折力の樹脂層を構成する材料のアッベ数との差に関するものである。
【手続補正１１】
【補正対象書類名】明細書
【補正対象項目名】０１１９
【補正方法】変更
【補正の内容】
【０１１９】
次に、本発明の数値実施例を示す。各数値実施例において、ｉは物体側から面の順序を示し、Ｒｉはｉ番目のレンズ面（第ｉ面）の曲率半径、Ｄｉは第ｉ面と第（ｉ＋１）面との間の間隔である。Ｎｉはｄ線に対しての屈折率、νｉはアッベ数である。 また、もっとも像側の２面は光学ブロックＧを構成する面である。